(57)【特許請求の範囲】
【請求項１】
地下に埋設した貯水タンク本体であって、その一部に内部の水の汲み出し口を備えた貯水タンク本体と、
上端に前記貯水タンク本体内の水位の昇降に対応して昇降し、常時、貯水タンク本体内の水位以上の位置に位置するようにするべく周囲にフロート部材を配した導入口を備えた地下水導入配管であって、伸縮自在な蛇腹状のパイプ体で構成した地下水導入配管と、
前記貯水タンク本体の外部側方に構成した地下水導入空間であって、前記貯水タンク本体内に構成した前記地下水導入配管の下端に、下部に連通する地下水導入路を介して連通した地下水導入空間と、
で構成した貯水タンク。
【請求項２】
前記フロート部材には、その昇降を案内するガイド部材を付設した請求項１の貯水タンク。
【請求項３】
前記地下水導入空間を縦型円筒状の空間に構成した請求項１又は２の貯水タンク。
【請求項４】
前記貯水タンク本体を、その貯水用の内部空間をコンクリートの周壁及び上下部で囲んで構成した請求項１、２又は３の貯水タンク。
【発明の詳細な説明】
【０００１】
【発明の属する技術分野】
本発明は、雨水又は水道水等を防火、散水又は飲料用等の用途に用いるために貯留保管する貯水タンクに関する。
【０００２】
【従来の技術】
防火用水等を保管するための貯水タンクとしては地上又は地下に設置したコンクリート製等のそれが知られている。これらには水道水を充填して保管するものや、雨水を導入して保管するものもある。同様に用いられる木製のタンクも知られているが、これらは小型のものに限られる。
【０００３】
これらの貯水タンクは、多くは周壁がコンクリートで構成され、地下に埋設されているものである。また公知となっているものではないが、この種の貯水タンクには貯水用の内部空間を空間保持部材で保持しつつその周囲をフレキシブルなシート部材で囲った構成のものが考え得る。これも同様に地下に埋設して構成するものである。
前者に対して後者はその施工が容易で安価に構築し得る他、後者の方が地震等に強いという利点があるものであるが、いずれの場合も、周囲の地下水位が降雨等により上昇し、しかもタンク中の貯留水が何らかの理由により減少している場合等には、地下水によって生じた浮力により貯水タンクそれ自体が押し上げられ、その埋設位置の地表面が盛り上げられてしまう等の問題が生じる虞があるものである。
【０００４】
【発明が解決しようとする課題】
本発明に於ては、以上のような貯水タンクの問題点を解決し、貯水タンク内の貯留水の減少時にその埋設位置周辺の地下水位が上昇しても、地下水位によって押し上げられるようなことのない貯水タンクを提供することを解決の課題とするものである。
【０００５】
【課題を解決するための手段】
本発明は、地下に埋設した貯水タンク本体であって、その一部に内部の水の汲み出し口を備えた貯水タンク本体と、
上端に前記貯水タンク本体内の水位の昇降に対応して昇降し、常時、貯水タンク本体内の水位以上の位置に位置するようにするべく周囲にフロート部材を配した導入口を備えた地下水導入配管であって、伸縮自在な蛇腹状のパイプ体で構成した地下水導入配管と、
前記貯水タンク本体の外部側方に構成した地下水導入空間であって、前記貯水タンク本体内に構成した前記地下水導入配管の下端に、下部に連通する地下水導入路を介して連通した地下水導入空間と、
で構成した貯水タンクである。
【０００６】
したがって本発明の貯水タンクによれば、地下水導入配管の上端開口部である導入口が該貯水タンク内の水位にともなって昇降するものであり、常時、該水位を僅かに越える高さに位置しているものであるため、地下水位が貯水タンク内の水位より高くなると、前記地下水導入空間に導入されている地下水が地下水導入配管の同一高さまで上昇し、前記導入口より貯水タンク内に供給されることとなる。
【０００７】
他方、貯水タンク内の水位が地下水位より高い場合は、地下水導入配管の上端である導入口はタンク内の水位の高さより若干高い位置まで上昇しているので、貯水タンク内の水が導入口よりあふれ出ることはない。勿論、このときは、地下水が貯水タンク内に入ることもない訳である。
【０００８】
それ故、貯水タンク内の水位は地下水位を下回ることがなく、降雨の状況その他により、地下水位が上昇しても、前記のように、貯水タンク内の水位はこれを上回るようになるので、地下水位によって貯水タンクが押し上げられ、その埋設エリアの地表面を押し上げてしまうような問題を生じさせることはない。
【０００９】
なおこの貯水タンクは、一般の貯水タンクとしては格別異なることなく有用に用いられるのは云うまでもなく、加えて水位が地下水位を下回った場合には地下水を導入して有効に利用できる利点もある。
【００１０】
なお、本発明に於いては、前記地下水導入配管を伸縮自在な蛇腹状のパイプ体で構成したため、前記したように、その上端の導入口を貯水タンク内の水位に対応させて昇降させるのに好都合である。
【００１１】
また前記導入口の周囲にフロート部材を配し、これによって貯水タンク内の水位に応じて導入口を昇降させるように構成してあるため、貯水タンク内の水位に応じた導入口の昇降を的確に行なわせることができる。
【００１２】
前記フロート部材には、その昇降を案内するガイド部材を付設することができ、このように構成した場合はフロート部材が無用の方向に動いたりすることなく、必要な昇降方向にのみ動くようにすることができる。
【００１３】
前記地下水導入空間は、前記のように、前記貯水タンク本体の側方に配したものであるが、これは縦型円筒状の空間に構成することができる。このように構成した地下水導入空間は、地下水位に応じてこの中に地下水が導入され、その水位を貯水タンク内の水位が下回ると、地下水が地下水導入配管を通じて貯水タンク内に導かれることとなる。そしてこうして常に貯水タンク内の水位が地下水位を下回らないようにすることができる。
【００１４】
前記貯水タンク本体を、その貯水用の内部空間をコンクリートの周壁及び上下部で囲んで構成することができ、このように構成した場合には、タンク本体を従来の技法によって構成することができる。
【００１５】
前記貯水タンク本体を、その貯水用の内部空間に該内部空間保持用の骨格部材を充填するとともにこれらをフレキシブルなシートで囲んで構成することができ、このように構成した場合には、地震等によっても容易に周壁部が破壊されない利点を併せて有することができる。
【００１６】
【発明の実施の形態】
以下、発明の実施の形態を実施例に基づいて添付図面を参照しつつ詳細に説明する。
図１及び図２は本発明の一実施例を示すもので、図１はその概略断面説明図、図２は図１のＡ−Ａ線概略断面図である。
【００１７】
この例では貯水タンク本体１を、図１に示すように、コンクリートで直方体状の箱型に構成し、地中に埋設したものである。その天板部１ａにはパイプ体を立設した構成の汲み出し口２を構成し、下部中央には後記地下水導入空間３に連通する下部開口１ｂを開けてある。前記汲み出し口２の上端は地表面ＧＬに開口させ、かつ着脱自在な蓋体４で被覆してある。また前記下部開口１ｂには４本のガイド棒５、５…を立設し、これを外装する状態に蛇腹状パイプ体で構成した地下水導入配管６を配する。
【００１８】
上記地下水導入配管６の下端は前記下部開口１ｂに固設し、その上端にはリング状のフロート部材７を４本の結合アーム８、８…を介して結合する。なお上記地下水導入配管６の上端は上方に開口しており、地下水の貯水タンク本体１内への導入口６ａとなる。
【００１９】
前記４本の結合アーム８、８…は９０度の定角度間隔で前記リング状のフロート部材７の内側に延びるものであるが、その内端に開口した貫通孔にそれぞれ前記ガイド棒５、５…を貫通させてあり、これによってリング状のフロート部材７は昇降方向にのみ動くようになっている。
【００２０】
前記貯水タンク本体１の側方には前記地下水導入空間３を構成する。この地下水導入空間３は、図１に示すように、その上端は貯水タンク本体１の上端と一致させ、下端はそれより低くした縦型円筒状の空間に構成したものであり、その下端から地下水導入路９を延長し、前記貯水タンク本体１の下部開口１ｂに接続する。
【００２１】
したがってこの実施例の貯水タンクによれば、通常の貯水タンクとして、その内部の水を汲み出して防火用や飲料用に用いることができるのは云うまでもなく、更に、降雨等による地下水位の上昇変動によっても、これが押し上げられて、埋設領域の地表面を盛り上げてしまう等の問題は生じないものである。
【００２２】
貯水タンク本体１に水を充填する場合は、云うまでもなく、前記汲み出し口２の蓋体４を取り外し、水道水等をホース等を通じてここに導き、流下させることで、それを行なうことができる。防火のためその他に使用するため水を汲み出す場合も前記汲み出し口２から行なうのは云うまでもない。
前記のようにして水を充填する際には、水の流下による貯水タンク本体１内の水位の上昇にともなって、前記リング状のフロート部材６が上昇し、地下水導入配管６の上端の導入口６ａを上昇させる。したがって貯水タンク本体１内の水位が上昇してもこれにともなって導入口６ａも同時に上昇するので、貯水タンク本体１内に流下された水が外部に流れ出ることはない。
【００２３】
また前記のようにして防火用その他のために貯水タンク本体１内の水を利用し、水位が下がった場合には、前記リング状のフロート部材６も下降し、これにともなって導入口６ａも下降するが、当然、水位よりも下降する訳ではないので、貯水タンク本体１内の水が導入口６ａからあふれ出るような問題が生じないのは云うまでもない。
【００２４】
他方、地下水位が降雨等により上昇して貯水タンク本体１内の水位より上昇すると、前記地下水導入空間３と地下水導入配管６とは地下水導入路９を通じて連通しているので、当然、地下水が地下水導入配管６内で同一水位まで上昇し、貯水タンク本体１内の水位を僅かに越えるに過ぎないその導入口６ａから貯水タンク本体１内に流入することとなる。
【００２５】
こうして貯水タンク本体１内の水位が地下水位より高い場合は、フロート部材７が地下水導入配管６の上端である導入口６ａをその高さまで上昇させているので、貯水タンク本体１内の水は外部にあふれ出ることはなく、そのまま水を保持し、他方、貯水タンク本体１内の水位が地下水位より低くなった場合には、それに応じて下がるフロート部材６とともに導入口６ａが下降し、地下水を導入口６ａから同一水位になるまで貯水タンク本体１内に導入することとなるものである。
【００２６】
したがって貯水タンク本体１内の水位は、常に地下水位と同一以上の高さを保持することができるので、貯水タンク本体１が地下水位により押し上げられてこれを埋設した領域の地表面を盛り上げてしまうような問題は一切生じさせることがないものである。
更に加えて、貯水タンク本体１内の水位が下がった場合であって、地下水位がそれ以上の場合には、これを導入することで地下水を有用に利用することができるものでもある。
【００２７】
【発明の効果】
本発明の貯水タンクによれば、地下水導入配管の上端開口部である導入口が該貯水タンク内の水位にともなって昇降するものであり、常時、導入口は該水位を僅かに越える高さに位置しているものである。
しかして地下水位が貯水タンク内の水位より高くなると、前記地下水導入空間に導入されている地下水が地下水導入配管に於ける同一高さまで上昇し、結果として、前記導入口より貯水タンク内に供給されることとなる。
【００２８】
他方、地下水位が貯水タンク内の水位より低い場合は、地下水導入配管の上端である導入口は貯水タンク内の水位より若干高い位置に位置しているので、該貯水タンク内の水が導入口よりあふれ出ることはない。
【００２９】
しかして、結局、貯水タンク内の水位は地下水位を下回ることがないので、降雨の状況その他により、地下水位が上昇しても、これによって貯水タンクが押し上げられ、該貯水タンクの埋設エリアの地表面を盛り上げてしまうような問題を生じさせることはない。
【００３０】
なおこの貯水タンクは、一般の貯水タンクとしては格別異なることなく、防火用水の保管用又は飲料水の保管用等として有用に用いられるのは云うまでもなく、加えて、地下水を有効に利用できる利点もある。
【００３１】
なお以上の本発明に於いて、前記地下水導入配管を伸縮自在な蛇腹状のパイプ体で構成したため、その上端の導入口を貯水タンク内の水位に対応させて昇降させるのに好都合である。
【００３３】
前記フロート部材に、その昇降を案内するガイド部材を付設した場合には該フロート部材が無用の方向に動いたりすることなく、必要な昇降方向にのみ動くようになるものである。
【００３４】
前記地下水導入空間は、前記のように、前記貯水タンク本体の側方に配したものであるが、これは縦型円筒状の空間に構成することができる。このように構成した地下水導入空間は、地下水位に応じてこの中に地下水が導入され、その水位を貯水タンク内の水位が下回ると、地下水が地下水導入配管を通じて貯水タンク内に導かれることとなる。そして、こうして常に貯水タンク内の水位が地下水位を下回らないようにすることができる。
【００３５】
前記貯水タンク本体を、その貯水用の内部空間をコンクリートの周壁及び上下部で囲んで構成した場合には、タンク本体を従来の技法によって構成することができる。
【図面の簡単な説明】
【図１】一実施例を示す概略断面説明図。
【図２】図１のＡ−Ａ線概略断面図。
【符号の説明】
１    貯水タンク本体
１ａ  天板部
１ｂ  下部開口
２    汲み出し口
３    地下水導入空間
４    蓋体
５    ガイド棒
６    地下水導入配管
６ａ  導入口
７    フロート部材
８    結合アーム
９    地下水導入路
ＧＬ  地表面
【図１】
0003881064.tif 000002
【図２】
0003881064.tif 000003